(57)【特許請求の範囲】
【請求項１】
印刷記録に供する記録紙を複数枚積層して載置可能な用紙載置部と、該用紙載置部に載置された最上位の前記記録紙に対して接離可能とし、前記記録紙を紙送り方向へ給紙する給紙ローラと、前記用紙載置部の下端に設けられ、前記用紙載置部に載置された前記記録紙の先端縁を当接可能とするとともに、前記最上位の前記記録紙を１枚ずつ分離する分離板とを備えたプリンタの自動給紙装置であって、
前記給紙ローラを軸支する回転軸と、一端を支点とし他端で前記回転軸を支持する揺動可能なレバーアームと、を備えると共に、前記レバーアームには、外方に突出した係止部が設けられて該係止部に前記分離板が支持され、
前記用紙載置部に載置した前記記録紙を給紙するときに、前記給紙ローラが前記用紙載置部上の前記記録紙に当接する動きに連動して、前記レバーアームが所定方向に揺動することで、前記レバーアームの前記係止部を介して、前記分離板が前記用紙載置部の載置面に対する傾斜角度を前記最上位の前記記録紙を１枚ずつ分離する大きな角度に位置するとともに、
前記用紙載置部から前記記録紙を給紙する以外の時に、前記給紙ローラが前記用紙載置部上の前記記録紙から離間する動きに連動して、前記レバーアームが逆方向に揺動することで、前記ラバーアームの前記係止部を介して、前記分離板が前記用紙載置部に対する傾斜角度を前記記録紙を保持する小さな角度に位置するようにしたことを特徴とするプリンタの自動給紙装置。
【発明の詳細な説明】
【０００１】
【発明の属する技術分野】
本発明は、プリンタの自動給紙装置に関し、とくに、積層された複数枚の記録紙から記録紙を１枚ずつ分離させて印刷記録に供するプリンタの自動給紙装置に関する。
【０００２】
【従来の技術】
一般に、コンピュータ、ワードプロセッサ、ファクシミリなどの出力装置として熱転写プリンタ、インクジェットプリンタ等の各種のプリンタが用いられている。
【０００３】
このようなプリンタにおいて、所望の印刷記録を行う場合には、プリンタフレームに取付けられた用紙載置部に複数枚の記録紙を収納し、この記録紙の最上位の１枚に対して給紙ローラを当接させてこの給紙ローラを回転駆動させることにより、記録紙を１枚ずつ分離して搬送するようになっている。この給紙ローラにより搬送された記録紙は、プリンタの印刷記録位置の手前に配置された紙送りローラの回転駆動力によりさらに搬送され、記録紙の搬送が給紙ローラから紙送りローラに引き継がれるようになっている。
【０００４】
図６に示すように、従来の自動給紙装置を適用したプリンタ１０１は、記録紙１００をほぼ垂直に搬送して印刷記録するように構成されている。このプリンタ１０１においては、プリンタフレーム１０３の幅方向に延在する、平板状をしたプラテン１０４が記録紙１００の印刷記録面がほぼ垂直となるように設けられている。また、プリンタフレーム１０３の一側には、図示しない駆動機構によりプラテン１０４に沿って往復移動可能なキャリッジ１０５が設けられていて、このキャリッジ１０５の一端部（図６の右側）には、図示しない複数の発熱素子が整列配置されたサーマルヘッド１２３が図示しない駆動機構によりプラテン１０４に対して接離可能に設けられている。
キャリッジ１０５には、リボンカセットが着脱可能に装着されるようになっていて、プラテン１０４とサーマルヘッド１２３との間に記録紙１００およびリボンカセットに収納されたインクリボンが供給された状態で、サーマルヘッド１２３をプラテン１０４に対して圧接するようになっている。
【０００５】
プリンタフレーム１０３の中央には、プリンタフレーム１０３の幅方向に延在し両端部がプリンタフレーム１０３の両側に支持された給紙ローラ駆動軸１１１が設けられている。給紙ローラ駆動軸１１１には、複数の給紙ローラ１１４が軸方向に所定間隔を有するように取付けられている。
また、給紙ローラ駆動軸１１１の軸方向の端部には、カムレバー１１２が取付けられ、給紙ローラ駆動軸１１１とともに回転するようになっている。
【０００６】
プリンタフレーム１０３の紙送り方向上流側の上方には、用紙載置部支持軸１２４が設けられていて、この用紙載置部支持軸１２４には、その上面を複数枚の記録紙１００を積層して載置する用紙載置板１０７として機能するように構成された用紙載置部１２５が揺動可能に軸支されていて、用紙載置部１２５を紙送り方向に揺動させた状態で、バネ部材などの付勢手段１１３によって用紙載置板１０７の前方を給紙ローラ１１４に対して圧接可能に構成されている。
給紙載置部１２５の用紙載置板１０７の下端側には突部１２６が設けられていて、給紙ローラ１１４の回転に応じて、突部１２６にカムレバー１１２の先端が係合、または非係合するようになっている。
【０００７】
給紙ローラ１１４の下方には、分離板１２０が設けられていて、該分離板１２０には用紙載置部１０７に載置された記録紙１００の先端縁が当接し、この積層された記録紙１００のうち最上位の記録紙１００のみを分離するため、該分離板１２０が所定の傾斜角度をもって傾斜するようになっている。
【０００８】
上記プラテン１０４の下方で給紙ローラ駆動軸１１１の斜め上方には、プリンタフレーム１０３の幅方向に延在し両端部がプリンタフレーム１０３の両側に支持された紙送りローラ駆動軸１１６が設けられていて、この紙送りローラ駆動軸１１６には、複数の紙送りローラ１１７が所定間隔をもって取付けられている。そして、各紙送りローラ１１７の下方及び側方には、紙送りローラ１１７の外周面に当接され紙送りローラ１１７に連動して回転される補助ローラ１１８が回転可能に設けられていて、プリンタフレーム１０３に取付けられた用紙載置部１０７と紙送りローラ１１７との間には、給紙ローラ１１４により用紙載置部１０７から取り出された記録紙１００を紙送り方向下流側上方に位置する紙送りローラ１１７と補助ローラ１１８との間に案内する曲面状のガイド板１１９が設けられている。
【０００９】
さらに、上記プラテン１０４より紙送り方向下流側には、プリンタフレーム１０３の幅方向に延在しプリンタフレーム１０３に支持された排紙ローラ駆動軸１２１が回転可能に設けられていて、この排紙ローラ駆動軸１２１には、印刷記録の終了した記録紙１００を外部に排出する複数の排紙ローラ１２２が所定間隔をもって取付けられている。
【００１０】
このように、用紙載置部１０７から給紙ローラ１１４により給紙された記録紙１００は、印刷記録位置の手前でガイド板１１９に案内されて紙送りローラ１１７と補助ローラ１１８とに受け渡され、紙送りローラ１１７と補助ローラ１１８との間に挟持されてその上方に位置する印刷記録位置に搬送され、印刷記録後の記録紙１００は、排紙ローラ１２２によりプリンタ１０１の外部に排出されるようになっている。
【００１１】
このように構成されたプリンタの自動給紙装置においては、付勢手段１１３の付勢力に抗しながら用紙載置部１２５の上面部側をプラテン１０４と離間する方向へ揺動させて、用紙載置部１２５と給紙ローラ１１４との当接を解除した状態にして、用紙載置部１２５の用紙載置板１０７に対し、記録紙１００は、その先端縁を上方から用紙載置板１０７の上面をスライドさせつつ、この用紙載置板１０７に載置される。
【００１２】
そして、付勢手段１１３の付勢力により、再び用紙載置部１２５をその用紙載置板１０７側がプラテン１０４に近づく方向へ揺動させて、用紙載置部１２５の突部１２６と給紙ローラ１１４側のカムレバー１１２とを当接させる。続いて、プリンタ１０１の自動給紙動作や印刷記録動作が開始され、給紙ローラ１１４の回転により、用紙載置板１０７に載置された記録紙１００のうち、最上位にある記録紙１００のみが紙送りローラ１１７の方向へ搬送される。
【００１３】
搬送された記録紙１００は、ガイド板１１９に案内されて紙送りローラ１１７と補助ローラ１１８に受け渡される。
次に、紙送りローラ１１７を逆回転させて記録紙１００を給紙方向上流側に逆搬送し、記録紙１００の印刷記録開始位置の頭出しを行う。
【００１４】
このようにして印刷記録開始位置の頭出しがなされた後、サーマルヘッド１２３をインクリボン及び記録紙１００を介してプラテン１０４に圧接させて、キャリッジ１０５をプラテン１０４に沿って移動させながら、画像などの印刷記録情報に基づいてサーマルヘッド１２３の発熱素子を選択的に駆動させることにより、記録紙１００に所望の印刷記録を行う。
【００１５】
【発明が解決しようとする課題】
ところで、従来の自動給紙装置を適用したプリンタ１０１は、複数枚の記録紙を用紙載置部１２５の用紙載置板１０７に装着する際には、給紙ローラ１１４が用紙載置部１２５から離間している状態になっている。
このとき、給紙ローラ１１４を取付けた給紙ローラ駆動軸１１１がプリンタフレームに固定されていて、用紙載置板１０７が用紙載置部支持軸１２４を支点として下方に可動されるが、給紙ローラ１１４と用紙載置板１０７との解除量を極力小さくして、記録紙１００の装着性を確保しているため、２０〜３０枚の記録紙１００を用紙載置板１０７に挿入して載置しようとすると、その周辺に記録紙１００をぶつけたりして、挿入しずらいという問題があった。
また、このように多数枚の記録紙１１０を用紙載置板１０７に装着するには、少しでも挿入し易いように、用紙載置板１０７を手で押さえて下方へ可動させた状態にして、用紙載置板１０７に装着しなければならなかった。
【００１６】
さらに、記録紙１００を用紙載置部１２５の用紙載置板１０７に載置する際に、給紙ローラ１１４と用紙載置板１０７との解除量を広げて、用紙載置板１０７に記録紙１００を挿入し易くすると、給紙ローラ１１４と用紙載置板１０７との空間を通って、記録紙１００を誤って紙送り方向へ入り込ませてしまうおそれがあった。
【００１７】
また、用紙載置板１０７に載置された記録紙１００の最上位の１枚を紙送り方向へ搬送して印刷記録する際には、紙送り精度を良くするために、紙送りローラ１１４を用紙載置部１２５から離間した状態で、紙送りローラ１１７のみによって、精度良く搬送させるようになっている。
したがって、給紙ローラ１１４と用紙載置板１０７との解除量を広げて、装着性を良くしたものでは、用紙載置板１０７に載置された記録紙１００の最上位の１枚が分離板１２０によって紙送り方向への動きが規制されるにもかかわらず、この記録紙１００がずるずると紙送り方向へ入り込んでしまい、特に、記録紙を数十枚積層させて載置したものでは、その頻度が多く発生するおそれがあった。
【００１８】
本発明の目的は、記録紙を用紙載置部に載置する際などに確実に載置され、さらに、給紙動作時に、最上位の記録紙のみを確実に搬送するようにしたプリンタの自動給紙装置を提供することにある。
【００１９】
【課題を解決するための手段】
上記課題の少なくとも１つを解決するための第１の解決手段として、印刷記録に供する記録紙を複数枚積層して載置可能な用紙載置部と、該用紙載置部に載置された最上位の前記記録紙に対して接離可能とし、前記記録紙を紙送り方向へ給紙する給紙ローラと、前記用紙載置部の下端に設けられ、前記用紙載置部に載置された前記記録紙の先端縁を当接可能とするとともに、前記最上位の前記記録紙を１枚ずつ分離する分離板とを備えたプリンタの自動給紙装置であって、
前記給紙ローラを軸支する回転軸と、一端を支点とし他端で前記回転軸を支持する揺動可能なレバーアームと、を備えると共に、前記レバーアームには、外方に突出した係止部が設けられて該係止部に前記分離板が支持され、
前記用紙載置部に載置した前記記録紙を給紙するときに、前記給紙ローラが前記用紙載置部上の前記記録紙に当接する動きに連動して、前記レバーアームが所定方向に揺動することで、前記レバーアームの前記係止部を介して、前記分離板が前記用紙載置部の載置面に対する傾斜角度を前記最上位の前記記録紙を１枚ずつ分離する大きな角度に位置するとともに、
前記用紙載置部から前記記録紙を給紙する以外の時に、前記給紙ローラが前記用紙載置部上の前記記録紙から離間する動きに連動して、前記レバーアームが逆方向に揺動することで、前記ラバーアームの前記係止部を介して、前記分離板が前記用紙載置部に対する傾斜角度を前記記録紙を保持する小さな角度に位置するようにしたものである。
【００２２】
【発明の実施の形態】
以下、本発明に係る自動給紙装置を適用したプリンタの一実施形態を図１乃至図５に基づいて説明する。
図１に示すように、プリンタ１０は、図示しないプリンタケースの内部に配設されるプリンタフレーム１２を有している。
直方体をした金属製のプリンタフレーム１２には、その前面部１２ａ側に図示しない駆動機構により往復移動可能なキャリッジ１４が取付けられている。
キャリッジ１４には、内部に所望の色のインクリボンを巻回したリボンカセットが着脱可能に装着されるようになっている。
このキャリッジ１４の下方には、プリンタフレーム１２の幅方向に延在する、平板状をしたプラテン１６が図示しないプリンタケースに軸支されて設けられている。
【００２３】
キャリッジ１４の下端部には、複数の発熱素子が整列配置されたサーマルヘッドが設けられ、このサーマルヘッドは、図示しない駆動機構によりプラテン１６に対して接離可能となっている。
リボンカセットのインクリボンは、サーマルヘッドの発熱素子とプラテン１６との間に案内され、プラテン１６とサーマルヘッドとの間にインクリボンと記録紙１００（図２参照）とを重ねた状態で配して、加熱された発熱素子を有するサーマルヘッドをプラテン１６に対して圧接させて、インクリボンの一部を記録紙１００に転写して、印刷記録するようになっている。
【００２４】
プリンタフレーム１２には、その背面部１２ｂ側に斜めに配設された用紙載置部２０が一体に取付けられている。
用紙載置部２０は、その上面に複数枚の記録紙１００を重ねて載置するようになっている。
用紙載置部２０の上方には、プリンタフレーム１２の幅方向に延在した、回転可能な給紙ローラ２６が複数個設けられている。
複数の給紙ローラ２６を回転可能に軸支する給紙ローラ駆動軸２６ａには、その軸方向の端部を一端で揺動可能に支持する小アーム２７が取付けられている。そして、この小アーム２７の他端に設けられた支持軸２７ａを介して、給紙ローラ駆動軸２６ａに軸方向に所定間隔で取付けられた上記給紙ローラ２６が用紙載置部２０の図示しない溝部内に案内されて円弧状に移動して、用紙載置部２０の上面に接離するようになっている。
【００２５】
図４及び図５に示すように、矩形板状のレバーアーム２８は、その一端２８ａをプリンタフレーム１２に軸支し、その他端２８ｂを給紙ローラ駆動軸２６ａと連結している。レバーアーム２８の一端２８ａを回動の支点にして上記レバーアーム２８を図示矢印方向に揺動するようになっている。
レバーアーム２８には、その中央に外方に突出した係止部２８ｄが設けられていて、係止部２８ｄの先端部２８ｅが後述する分離板を係止するようになっている。
【００２６】
プリンタフレーム１２の背面部１２ｂと用紙載置部２０との繋ぎ部分である、用紙載置部２０の下端には、略平板状をした分離板２２がプリンタフレーム１２の幅方向に延在して設けられ、分離板２２は、その軸２２ａを中心に、用紙載置部２０に対して揺動可能に軸支されて設けられている。
また、分離板２２には、用紙載置部２０に載置される記録紙１００の先端縁が当接し、この記録紙１００のうち最上位の記録紙１００のみを分離するために用紙載置部２０の上面に対して所定の傾斜角度をもつようになっている。
そして、分離板２２は、記録紙１００の紙質、厚み、大きさなどの種類に応じて、用紙載置部２０の上面に対して、それぞれ所定の傾斜角度を持って取付けられている。
【００２７】
そして、図４に示すように、図示しない駆動機構により小アーム２７の支持軸２７ａが用紙載置部２０から離間した位置に配置されているときには、小アーム２７の一端に取付けられた給紙ローラ駆動軸２６ａ及び給紙ローラ２６も離間した位置に配され、レバーアーム２８の係止部２８ｄの先端部２８ｅに係止した、分離板２２の下面端部が先端部２８ｅの上昇する動きに連動して、分離板２２の傾斜角度が用紙載置部２１の面に対して略直角となる、記録紙１００を保持する小さな角度となる（いわゆるローラアップ状態である）。
【００２８】
また、図５に示すように、図示しない駆動機構により小アーム２７の支持軸２７ａが用紙載置部２０に近接した位置に配置されるときには、小アーム２７の一端に取付けられた給紙ローラ駆動軸２６ａも近接した位置に配され、給紙ローラ２６が用紙載置部２０の上面に当接するとともに、レバーアーム２８の係止部２８ｄの先端部２８ｅに係止した、分離板２２の下面端部が先端部２８ｅの下降した動きに連動して、用紙載置部２０の上面に対して、傾斜角度が鈍角となるよう大きな角度となっている（いわゆるローラダウン状態である）。
【００２９】
次に、プリンタ１０内において、キャリッジ１４の下方で、給紙ローラ２６とプラテン１６との間には、プリンタフレーム１２の幅方向に延在し両端部がプリンタフレーム１２の両側に支持された紙送りローラ駆動軸３１が設けられていて、この紙送りローラ駆動軸３１には、複数の紙送りローラ３２が所定間隔をもって取付けられている。さらに、用紙載置部２１から紙送りされた記録紙１００が紙送りローラ３２に導出するようにガイド板３０が設けられている。
【００３０】
さらに、プラテン１６より紙送り方向下流側には、プリンタフレーム１２の幅方向に延在し、プリンタフレーム１２に支持された排紙ローラ３４が回転可能に設けられていて、この排紙ローラ３４により、印刷記録の終了した記録紙１００を外部に排出するようになっている。
【００３１】
次に、本実施形態における自動給紙装置を適用したプリンタ１０の一連の動作について以下に説明する。
図２及び図４に基づいて、用紙載置部２０に記録紙１００をセットする方法を説明する。用紙載置部２０の上面に複数枚の記録紙１００を重ねた状態で挿入すると、用紙載置部２０がほぼ略垂直（斜め）に配設されているので、記録紙１００は、用紙載置部２０上を紙送り方向下流側に摺接しながら移動し、その先端縁を分離板２２の上面部に当接する。
給紙ローラ２６を用紙載置部２０から離間して配置し、レバーアーム２８の係止部２８ｄの先端部２８ｅが分離板２２の下面端部を持ち上げて支持することにより、記録紙１００は、その先端縁が用紙載置部２０に対してほぼ垂直な傾斜角度に配置された分離板２２に保持された状態で用紙載置部２０上に載置される。
【００３２】
次に、図３及び図５に基づいて、印刷記録するために記録紙１００を給紙する方法を説明すると、用紙載置部２０の上面に載置された記録紙１００をプリンタ内に搬送するために、小アーム２７を介して、レバーアーム２８の一端２８ａを回転の支点として、給紙ローラ２６の給紙ローラ駆動軸２６ａを用紙載置部２０側へ移動させる。このようにレバーアーム２８が揺動することにより、レバーアーム２８の他端２８ｂと回動可能に連結した給紙ローラ駆動軸２６ａも用紙載置部２０に近づいて、給紙ローラ２６が用紙載置部２０の上面に載置した記録紙１００の最上位の１枚に当接する。それとともに、レバーアーム２８の係止部２８ｄが最下部まで下がり、それに連動して、係止する分離板２２の下面端部が軸２２ａを中心にして下がる。よって、分離板２２の傾斜角度は、用紙載置部２０に対して大きな傾斜角度となる。
【００３３】
続いて、給紙ローラ２６が給紙ローラ駆動軸２６ａを中心に回転駆動すると、記録紙１００の最上位の１枚は、記録紙１００の幅方向を規制する図示しない用紙ガイドに沿って紙送り下流側に搬送され、上述した所定の傾斜角度をもった分離板２２を乗り越えて、ガイド板３０の下面に案内され、紙送りローラ３２にその先端縁を導出する。用紙載置部２０の上面に載置された残りの記録紙１００は、分離板２２が障壁となって、紙送り方向への動きが阻止されて、その先端縁が分離板２２に当接された状態を維持する。
さらに、紙送りローラ３２が回転駆動することにより、記録紙１００の先端縁をガイド板３０の下面で押さえながら、紙送りローラ３２に紙送り下流側であるプラテン１６側へさらに搬送される。また、紙送りローラ３２に記録紙１００の先端縁が到達することにより、給紙ローラ２６は、その位置を用紙載置部２１から離間した元の位置に移動する。それに連動して、分離板２２は、上述した記録紙１００を用紙載置部２０にセットしたときの傾斜角度となる元の状態に戻る。
【００３４】
続いて、記録紙１００がプラテン１６とサーマルヘッドとの間に位置し、記録紙１００の先端縁が排紙ローラ３４側から外部に一旦突出した後、紙送りローラ３２を逆回転させ、記録紙１００を紙送り方向上流側に逆搬送させて、記録紙１００の印刷記録の開始位置の頭出しを行う。
このようにして印刷記録の開始位置の頭出しがされた状態で所定の印刷記録が開始する。すなわち、プリンタ１０内において、サーマルヘッドをインクリボンと記録紙１００を介してプラテン１６に圧接し、キャリッジ１４をプラテン１６に沿って移動させながら、印刷記録情報に基づいてサーマルヘッドの発熱素子を選択的に駆動して、記録紙１００に印刷記録を行う。
【００３５】
そして、印刷記録に必要な改行動作に伴って、紙送りローラ３２を記録紙１００の紙送り方向へ回転させて、紙送りを行う。
記録紙１００への印刷記録が完了した後、排紙ローラ３４を回転させて、記録紙１００を排紙する。
次の記録紙１００に印刷記録を行う場合は、上述した動作を繰返すことにより、順次記録紙１００に印刷記録が行われる。
【００３６】
このように構成され、動作するプリンタ１０の自動給紙装置は、以下に示す効果を奏する。
１）印刷記録に供する記録紙１００を積層して載置可能な用紙載置部２０と、用紙載置部２０の上面に載置された記録紙１００に対して接離可能とし、記録紙１００を紙送り方向へ給紙する給紙ローラ２６と、用紙載置部２０の下端側に設けられ、記録紙１００の先端縁を当接可能にするとともに、記録紙１００の最上位を１枚ずつ分離する分離板２２とを備え、用紙載置部２０の上面に記録紙１００を装着するときに、給紙ローラ２６を用紙載置部２０から離間させるとともに、用紙載置部２０の面に対する分離板２２の傾斜角度を記録紙を保持する略直角にしたことにより、分離板２２が紙送り方向への壁となるので、記録紙が用紙載置部２０からその挿入方向である紙送り方向へ誤って入り込ませることがなく、記録紙１００の用紙載置部２０への装着性を向上させることができる。
また、数十枚の記録紙１００をまとめて用紙載置部２０に挿入しても、用紙載置部２０の上面と給紙ローラ２６との間が記録紙１００を挿入するのに十分なスペースを確保しているので、周囲にぶつかることなく、記録紙１００の装着性を向上させることができる。
【００３７】
２）また、用紙載置部２０の上面に載置した記録紙１００を給紙するときには、給紙ローラ２６を用紙載置部２０に当接して回転駆動させるとともに、用紙載置部２０の面に対する分離板２２の傾斜角度を記録紙１００の最上位を１枚ずつ分離する角度にして、用紙載置部２０から記録紙１００を給紙する以外のとき、例えば、印刷記録動作のときには、記給紙ローラ２６を用紙載置部２０から離間させて、紙送りローラのみにて記録紙１００を精度良く搬送することができるとともに、用紙載置部２０の面に対する分離板２２の傾斜角度を記録紙１００を保持する略直角にしたことにより、残りの記録紙１００が搬送されるのを阻止されるので、重なって記録紙１００が搬送される、いわゆる重送（ダブルフィーダ）に対してもそれを抑制する効果がある。
【００３８】
３）また、給紙ローラ２６を軸支する給紙ローラ駆動軸２６ａが設けられ、一端２８ａを支点とし、他端２８ｂで該給紙ローラ回転軸２６ａを支持するレバーアーム２８が揺動可能に設けられて、レバーアーム２８には外方に突出した係止部２８ｄが設けられて、係止部２８ｄに分離板２２を支持し、給紙ローラ２６が給紙動作するときに、給紙ローラ２６が用紙載置部２０上の記録紙１００に当接する動きに連動して、レバーアーム２８の係止部２８ｄを介して、分離板２２は、その傾斜角度を大きくするとともに、その給紙動作以外のときには、給紙ローラ２６が用紙載置部２０から離間する動きに連動して、レバーアーム２８の係止部２８ｄを介して、分離板２２は、その傾斜角度を小さくすることにより、給紙ローラ２６に連動して所定の傾斜角度に分離板２２が自動的に可動することができるので、操作の手間がいらず、且つ誤動作させるおそれがない。
【００３９】
以上、本発明の一実施形態について説明したが、本発明は上記実施形態に限定されることはなく、その主旨を逸脱しない範囲内において変更して実施することができる。
【００４０】
【発明の効果】
以上のように説明してきた本発明のプリンタの自動給紙装置は、印刷記録に供する記録紙を積層して載置可能な用紙載置部と、用紙載置部に載置された記録紙に対して接離可能とし、該記録紙を紙送り方向へ給紙する給紙ローラと、用紙載置部の下端に設けられ、記録紙の先端縁を当接可能にするとともに、記録紙の最上位を１枚ずつ分離する分離板とを備え、用紙載置部に載置した記録紙を給紙するときに、給紙ローラを用紙載置部に当接回転駆動させるとともに、用紙載置部の面に対する分離板の傾斜角度を記録紙の最上位を１枚ずつ分離する大きな角度にして、用紙載置部から記録紙を給紙する以外のときに、給紙ローラを用紙載置部から離間させるとともに、用紙載置部の面に対する分離板の傾斜角度を記録紙を保持する小さな角度にしたことにより、用紙載置部に記録紙を装着するときに、分離板が紙送り方向への壁となるので、記録紙が用紙載置部からその挿入方向である紙送り方向へ誤って入り込ませることがなく、記録紙の用紙載置部への装着性を向上させることができる。
また、数十枚の記録紙をまとめて用紙載置部に挿入しても、用紙載置部と給紙ローラとの間がこの記録紙を挿入するのに十分なスペースを確保しているので、ぶつかることなく、記録紙の装着性を向上させることができる。
また、記録紙への印刷記録の際には、用紙載置部に載置された残りの記録紙が小さな傾斜角度をもった分離板に規制されるので、記録紙が重ねて紙送り方向へ搬送されることがない。
【００４１】
また、給紙ローラを軸支する回転軸が設けられ、一端を支点とし、他端で該回転軸を支持するレバーアームが揺動可能に設けられて、該レバーアームには外方に突出した係止部が設けられて、該係止部に分離板を支持し、給紙ローラが給紙動作するときに、給紙ローラが用紙載置部上の記録紙に当接する動きに連動して、レバーアームの係止部を介して、分離板は、分離板の傾斜角度を大きくするとともに、その給紙動作以外のときには、給紙ローラが用紙載置部から離間する動きに連動して、レバーアームの係止部を介して、分離板は、分離板の傾斜角度を小さくすることにより、給紙ローラに連動して所定の傾斜角度に分離板が自動的に可動するので、操作の手間がいらず、且つ誤動作させるおそれがない。
【図面の簡単な説明】
【図１】本発明の一実施形態である、プリンタの自動給紙装置の要部断面図である。
【図２】本発明の一実施形態である、プリンタの自動給紙装置において、記録紙をセットした際の概略断面図である。
【図３】本発明の一実施形態である、プリンタの自動給紙装置において、記録紙を搬送した際の概略断面図である。
【図４】本発明の一実施形態である、プリンタの自動給紙装置において、記録紙をセットした際の概略断面図である。
【図５】本発明の一実施形態である、プリンタの自動給紙装置において、記録紙を搬送した際の概略断面図である。
【図６】従来の自動給紙装置を適用したプリンタの要部断面図である。
【符号の説明】
１０  プリンタ
２０  用紙載置部
２２  分離板
２６  給紙ローラ
２６ａ  給紙ローラ駆動軸（回転軸）
２８  レバーアーム
２８ｄ  係止部
１００  記録紙
【図１】
0003701174.tif 000002
【図２】
0003701174.tif 000003
【図３】
0003701174.tif 000004
【図４】
0003701174.tif 000005
【図５】
0003701174.tif 000006
【図６】
0003701174.tif 000007